(57)【特許請求の範囲】
【請求項１】
有機ＥＬ素子と、画像信号に応じた電圧を保持する記憶容量と、前記記憶容量の電圧に応じた電流を前記有機ＥＬ素子に流す駆動トランジスタと、前記駆動トランジスタと前記有機ＥＬ素子とを接続または遮断する電流スイッチとを有する画素回路を複数配列した有機ＥＬ表示装置の駆動方法であって、
有機ＥＬ表示装置は、
互いに隣接する１対の画素回路のうち、一方の画素回路の有機ＥＬ素子および電流スイッチの節点と、他方の画素回路の有機ＥＬ素子および電流スイッチの節点とを接続または遮断する画素間スイッチを備え、
前記有機ＥＬ装置の駆動方法は、
２次元画像を表示する場合には、前記画素間スイッチを遮断して、前記画素回路の記憶容量の電圧を前記２次元画像の画像信号に基づき順次更新するとともに、更新された記憶容量の電圧に応じた電流を前記画素回路の有機ＥＬ素子に流して発光させ、
右目および左目の視差画像を交互に表示して３次元画像を表示する場合には、前記画素間スイッチを接続して画素回路対を構成し、
前記画素回路対の画素回路それぞれの記憶容量の電圧を前記視差画像の画像信号に基づき交互に更新するとともに、
前記画素回路対のうち、一方の画素回路の記憶容量の電圧を更新する期間は、前記一方の画素回路の電流スイッチを遮断し、他方の画素回路の電流スイッチを接続して、前記他方の画素回路の記憶容量の電圧に応じた電流を前記画素回路対を構成する両方の画素回路の有機ＥＬ素子に流して発光させることを特徴とする有機ＥＬ表示装置の駆動方法。
【請求項２】
複数のデータ線と前記データ線に交差する複数の走査線との交差する位置のそれぞれに、有機ＥＬ素子と、画像信号に応じた電圧を保持する記憶容量と、前記記憶容量の電圧に応じた電流を前記有機ＥＬ素子に流す駆動トランジスタと、前記駆動トランジスタおよび前記有機ＥＬ素子を接続または遮断する電流スイッチとを有する画素回路を配置した有機ＥＬ表示装置であって、
前記データ線を共有する複数の画素回路のそれぞれにおいて、ｐ（ｐ＝奇数）番目の走査線を有する画素回路の有機ＥＬ素子および電流スイッチの節点と、ｐ＋１番目の走査線を有する画素回路の有機ＥＬ素子および電流スイッチの節点とを接続または遮断する第１画素間スイッチと、ｑ（ｑ＝偶数）番目の走査線を有する画素回路の有機ＥＬ素子および電流スイッチの節点と、ｑ＋１番目の走査線を有する画素回路の有機ＥＬ素子および電流スイッチの節点とを接続または遮断する第２画素間スイッチとを、備えたことを特徴とする有機ＥＬ表示装置。
【請求項３】
請求項２に記載の有機ＥＬ表示装置の駆動方法であって、
２次元画像を表示する場合には、前記第１画素間スイッチおよび前記第２画素間スイッチを遮断して、前記画素回路の記憶容量の電圧を前記２次元画像の画像信号に基づき順次更新するとともに、更新された記憶容量の電圧に応じた電流を前記画素回路の有機ＥＬ素子に流して発光させ、
右目および左目の視差画像を交互に表示して３次元画像を表示する場合には、前記第１画素間スイッチと前記第２画素間スイッチとのいずれか一方を接続し他方を遮断して画素回路対を構成し、
前記画素回路対の画素回路それぞれの記憶容量の電圧を前記視差画像の画像信号に基づき交互に更新するとともに、
前記画素回路対のうち、一方の画素回路の記憶容量の電圧を更新する期間は、前記一方の画素回路の電流スイッチを遮断し、他方の画素回路の電流スイッチを接続して、前記他方の画素回路の記憶容量の電圧に応じた電流を前記画素回路対を構成する両方の画素回路の有機ＥＬ素子に流して発光させることを特徴とする有機ＥＬ表示装置の駆動方法。
【請求項４】
前記視差画像を交互に表示して３次元画像を表示する場合には、前記第１画素間スイッチおよび前記第２画素間スイッチの接続または遮断を、フレーム単位で交互に切換えることを特徴とする請求項３に記載の有機ＥＬ表示装置の駆動方法。
【発明の詳細な説明】
【技術分野】
【０００１】
本発明は、左右の視差画像を交互に表示し、シャッタ眼鏡を用いてそれらを立体視する有機ＥＬ表示装置およびその駆動方法に関する。
【背景技術】
【０００２】
自ら発光する有機エレクトロルミネッセンス（ＥＬ）素子を有する画素回路を多数配列した有機ＥＬ表示装置は、バックライトが不要で視野角の制限がないため、次世代の画像表示装置として期待されている。
【０００３】
有機ＥＬ素子は、流す電流量によって輝度を制御する電流発光素子である。有機ＥＬ素子を駆動する方式としては、単純マトリックス方式とアクティブマトリックス方式とがある。前者は画素回路が単純であるものの大型かつ高精細のディスプレイの実現が困難である。このため、有機ＥＬ素子毎に駆動トランジスタを備えた画素回路を配列したアクティブマトリックス型の有機ＥＬ表示装置の開発が行われている。
【０００４】
近年は、このような表示装置を用いて３次元画像（立体画像）を表示する方法についても検討されている。その１つとして、右目の視差画像と左目の視差画像とを交互に表示し、右目の視差画像を表示している期間では右目用シャッタを開き左目用シャッタを閉じて、左目で右目の視差画像を見えなくし、また左目の視差画像を表示している期間では左目用シャッタを開き右目用シャッタを閉じて、右目で左目の視差画像を見えなくする。このように、左右の視差画像の表示に同期してシャッタ眼鏡のシャッタを開閉する方法が知られている。
【０００５】
しかしながら有機ＥＬ表示装置は、線順次でライン毎の書込み動作を行って表示画像を更新するために、それぞれの視差画像を表示する時間が制限されて、表示画像の輝度が大幅に低下するという課題があった。
【０００６】
この輝度低下を防ぐため、画素回路のそれぞれに、第１の記憶容量と第２の記憶容量とを設け、第２の記憶容量を用いて画像を表示しつつ第１の記憶容量に線順次で書込み動作を行い、第１の記憶容量の書込み動作が終了した後に、第１の記憶容量を用いて画像を表示しつつ第２の記憶容量に線順次で書込み動作を行って表示画像を更新する有機ＥＬ表示装置が提案されている（例えば、特許文献１参照）。
【先行技術文献】
【特許文献】
【０００７】
【特許文献１】国際公開第２０１１／０７７７１８号
【発明の概要】
【発明が解決しようとする課題】
【０００８】
特許文献１に記載の有機ＥＬ表示装置によれば、３次元画像を表示する場合であっても、駆動時間の大部分を画像表示に用いることができる。しかしながら上記の有機ＥＬ表示装置は、面積の広い記憶容量を１画素回路あたり２個形成しなければならないので、１画素回路あたりの発光領域の割合が狭くる。そのため、輝度の高い画像が表示できないという課題があった。そして通常の２次元画像（平面画像）を表示する場合であっても、同様に輝度の高い画像が表示できない。
【０００９】
本発明は上記課題に鑑みなされたものであり、１画素回路あたりの発光領域の割合を狭めることなく、かつ駆動時間の大部分を画像表示に用いて、輝度の高い２次元画像および３次元画像を表示することができる有機ＥＬ表示装置およびその駆動方法を提供することを目的とする。
【課題を解決するための手段】
【００１０】
上記目的を達成するために本発明は、有機ＥＬ素子と、画像信号に応じた電圧を保持する記憶容量と、記憶容量の電圧に応じた電流を有機ＥＬ素子に流す駆動トランジスタと、駆動トランジスタと有機ＥＬ素子とを接続または遮断する電流スイッチとを有する画素回路を複数配列した有機ＥＬ表示装置であって、互いに隣接する１対の画素回路のうち、一方の画素回路の有機ＥＬ素子および電流スイッチの節点と、他方の画素回路の有機ＥＬ素子および電流スイッチの節点とを接続または遮断する画素間スイッチを備えたことを特徴とする。この構成により、１画素回路あたりの発光領域の割合を狭めることなく、かつ駆動時間の大部分を画像表示に用いて、輝度の高い２次元画像および３次元画像を表示することができる有機ＥＬ表示装置を提供することができる。
【００１１】
また本発明は、上記に記載の有機ＥＬ表示装置の駆動方法であって、２次元画像を表示する場合には、画素間スイッチを遮断して、画素回路の記憶容量の電圧を２次元画像の画像信号に基づき順次更新するとともに、更新された記憶容量の電圧に応じた電流を画素回路の有機ＥＬ素子に流して発光させ、右目および左目の視差画像を交互に表示して３次元画像を表示する場合には、画素間スイッチを接続して画素回路対を構成し、画素回路対の画素回路それぞれの記憶容量の電圧を視差画像の画像信号に基づき交互に更新するとともに、画素回路対のうち、一方の画素回路の記憶容量の電圧を更新する期間は、一方の画素回路の電流スイッチを遮断し、他方の画素回路の電流スイッチを接続して、他方の画素回路の記憶容量の電圧に応じた電流を画素回路対を構成する両方の画素回路の有機ＥＬ素子に流して発光させることを特徴とする。この方法により、１画素回路あたりの発光領域の割合を狭めることなく、かつ駆動時間の大部分を画像表示に用いて、輝度の高い２次元画像および３次元画像を表示することができる有機ＥＬ表示装置の駆動方法を提供することができる。
【００１２】
また本発明は、複数のデータ線と前記データ線に交差する複数の走査線との交差する位置のそれぞれに、有機ＥＬ素子と、画像信号に応じた電圧を保持する記憶容量と、記憶容量の電圧に応じた電流を有機ＥＬ素子に流す駆動トランジスタと、駆動トランジスタおよび有機ＥＬ素子を接続または遮断する電流スイッチとを有する画素回路を配置した有機ＥＬ表示装置であって、データ線を共有する複数の画素回路のそれぞれにおいて、ｐ（ｐ＝奇数）番目の走査線を有する画素回路の有機ＥＬ素子および電流スイッチの節点と、ｐ＋１番目の走査線を有する画素回路の有機ＥＬ素子および電流スイッチの節点とを接続または遮断する第１画素間スイッチと、ｑ（ｑ＝偶数）番目の走査線を有する画素回路の有機ＥＬ素子および電流スイッチの節点と、ｑ＋１番目の走査線を有する画素回路の有機ＥＬ素子および電流スイッチの節点とを接続または遮断する第２画素間スイッチとを備えたことを特徴とする。この構成により、１画素回路あたりの発光領域の割合を狭めることなく、かつ駆動時間の大部分を画像表示に用いて、輝度の高い２次元画像および３次元画像を表示することができる有機ＥＬ表示装置を提供することができる。
【００１３】
また本発明は、上記に記載の有機ＥＬ表示装置の駆動方法であって、２次元画像を表示する場合には、第１画素間スイッチおよび第２画素間スイッチを遮断して、画素回路の記憶容量の電圧を２次元画像の画像信号に基づき順次更新するとともに、更新された記憶容量の電圧に応じた電流を画素回路の有機ＥＬ素子に流して発光させ、右目および左目の視差画像を交互に表示して３次元画像を表示する場合には、第１画素間スイッチと第２画素間スイッチとのいずれか一方を接続し他方を遮断して画素回路対を構成し、画素回路対の画素回路それぞれの記憶容量の電圧を視差画像の画像信号に基づき交互に更新するとともに、画素回路対のうち、一方の画素回路の記憶容量の電圧を更新する期間は、一方の画素回路の電流スイッチを遮断し、他方の画素回路の電流スイッチを接続して、他方の画素回路の記憶容量の電圧に応じた電流を画素回路対を構成する両方の画素回路の有機ＥＬ素子に流して発光させることを特徴とする。この方法により、１画素回路あたりの発光領域の割合を狭めることなく、かつ駆動時間の大部分を画像表示に用いて、輝度の高い２次元画像および３次元画像を表示することができる有機ＥＬ表示装置の駆動方法を提供することができる。
【００１４】
また本発明の有機ＥＬ表示装置の駆動方法は、視差画像を交互に表示して３次元画像を表示する場合には、第１画素間スイッチおよび第２画素間スイッチの接続または遮断を、フレーム単位で交互に切換えることが望ましい。
【発明の効果】
【００１５】
本発明によれば、１画素回路あたりの発光領域の割合を狭めることなく、かつ駆動時間の大部分を画像表示に用いて、輝度の高い２次元画像および３次元画像を表示することができる有機ＥＬ表示装置およびその駆動方法を提供することが可能となる。
【図面の簡単な説明】
【００１６】
【図１】本発明の実施の形態１における有機ＥＬ表示装置の構成を示す模式図である。
【図２】同有機ＥＬ表示装置の画素回路の回路図である。
【図３】同有機ＥＬ表示装置の動作を説明するための図である。
【図４】同有機ＥＬ表示装置の動作を示すタイミングチャートである。
【図５Ａ】同有機ＥＬ表示装置の動作を説明するための図である。
【図５Ｂ】同有機ＥＬ表示装置の動作を説明するための図である。
【図６】同有機ＥＬ表示装置の動作を示すタイミングチャートである。
【図７】本発明の実施の形態２における有機ＥＬ表示装置の構成を示す模式図である。
【図８】同有機ＥＬ表示装置の動作を示すタイミングチャートである。
【発明を実施するための形態】
【００１７】
以下、本発明の実施の形態における有機ＥＬ表示装置について、図面を用いて説明する。
【００１８】
（実施の形態１）
図１は、本発明の実施の形態１における有機ＥＬ表示装置４０の構成を示す模式図である。本実施の形態における有機ＥＬ表示装置４０は、画素回路１０（ｉ、ｊ）と、データ線駆動回路１１と、走査線駆動回路１２と、発光制御回路１３と、画素間スイッチ１５と、画素間スイッチ制御回路１８と、電源回路（図示せず）とを備えている。ただし、「ｉ」は「１」以上「ｎ」以下の整数、「ｊ」は「１」以上「ｍ」以下の整数である。
【００１９】
画素回路１０（ｉ、ｊ）は、赤、緑、青のいずれかの色に発光する有機ＥＬ素子を有し、画像表示面を構成するように、行列状に複数配列されている。そして図１の列方向に配列された画素回路１０（１、ｊ）〜１０（ｎ、ｊ）のそれぞれには共通のデータ線２１（ｊ）が接続され、行方向に配列された画素回路１０（ｉ、１）〜１０（ｉ、ｍ）のそれぞれには共通の走査線２２（ｉ）および共通の発光制御線２３（ｉ）が接続されている。
【００２０】
なお以下では、行方向に配列された画素回路１０（ｉ、１）〜１０（ｉ、ｍ）をラインｉと表記し、画像表示面の上から順に、ライン１、ライン２、・・・、ライン（ｎ−１）、ラインｎと表記する。
【００２１】
データ線駆動回路１１は、画像信号を、画素回路１０（ｉ、ｊ）それぞれの発光すべき輝度に対応したデータ信号に変換する。そして、データ線２１（ｊ）のそれぞれに、データ信号を供給する。
【００２２】
走査線駆動回路１２は、画素回路１０（ｉ、ｊ）それぞれがデータ信号を取込むための走査信号を走査線２２（ｉ）のそれぞれに供給する。なお図１においては、説明を簡素化するために、１つの画素回路１０（ｉ、ｊ）に１本の走査線２２（ｉ）が接続された構成を示した。しかし、例えば画素回路１０（ｉ、ｊ）の輝度ばらつきを補正するために、１つの画素回路１０（ｉ、ｊ）に複数本の走査線からなる一組の走査線群が接続された構成であってもよい。
【００２３】
発光制御回路１３は、画素回路１０（ｉ、ｊ）の有機ＥＬ素子の発光・非発光を制御するための発光制御信号を、発光制御線２３（ｉ）のそれぞれに供給する。
【００２４】
このように、本実施の形態における有機ＥＬ表示装置４０は、複数のデータ線２１（ｊ）と、それらに交差する複数の走査線２２（ｉ）との、交差する位置のそれぞれに画素回路１０（ｉ、ｊ）が配置されている。
【００２５】
画素間スイッチ１５は、電界効果型の薄膜トランジスタで構成され、隣接する１対の画素回路１０（ｐ、ｊ）、１０（ｐ＋１、ｊ）のそれぞれに対して、一方の画素回路１０（ｐ、ｊ）の有機ＥＬ素子と他方の画素回路１０（ｐ＋１、ｊ）の有機ＥＬ素子とを接続または遮断する。ここで「ｐ」は「１」以上「ｎ」以下の奇数である。画素間スイッチ１５のそれぞれのゲートは互いに接続されている。画素間スイッチ制御回路１８は、画素間スイッチ１５の接続または遮断を制御する画素間制御信号を画素間スイッチ１５のそれぞれのゲートに供給する。
【００２６】
電源回路は、画素回路１０（ｉ、ｊ）それぞれの電源線に接続され、画素回路１０（ｉ、ｊ）のそれぞれに電力を供給する。
【００２７】
図２は、本発明の実施の形態１における有機ＥＬ表示装置４０の画素回路１０（ｉ、ｊ）の回路図であり、互いに隣接する１対の画素回路１０（ｐ、ｊ）、１０（ｐ＋１、ｊ）と、それらの間に接続された画素間スイッチ１５とを示している。
【００２８】
本実施の形態における画素回路１０（ｐ、ｊ）は、有機ＥＬ素子３２（ｐ、ｊ）と、記憶容量３３（ｐ、ｊ）と、駆動トランジスタ３４（ｐ、ｊ）と、電流スイッチ３５（ｐ、ｊ）と、書込スイッチ３９（ｐ、ｊ）とを有する。
【００２９】
有機ＥＬ素子３２（ｐ、ｊ）は、流す電流量によって輝度を制御する電流発光素子であり、赤、緑、青のいずれかの色で発光する。記憶容量３３（ｐ、ｊ）は、所定のデータ信号に応じた電圧に充電され、その電圧を保持する。駆動トランジスタ３４（ｐ、ｊ）は、本実施の形態においては電界効果型のＰチャンネル薄膜トランジスタである。そして詳細は後述するが、電流スイッチ３５（ｐ、ｊ）が接続（オン状態）かつ画素間スイッチ１５が遮断（オフ状態）であれば、記憶容量３３（ｐ、ｊ）の電圧に応じた電流を有機ＥＬ素子３２（ｐ、ｊ）に流す。また電流スイッチ３５（ｐ、ｊ）が接続かつ画素間スイッチ１５が接続であれば、記憶容量３３（ｐ、ｊ）の電圧に応じた電流を有機ＥＬ素子３２（ｐ、ｊ）および有機ＥＬ素子３２（ｐ＋１、ｊ）に流す。
【００３０】
駆動トランジスタ３４（ｐ、ｊ）と有機ＥＬ素子３２（ｐ、ｊ）との間には電流スイッチ３５（ｐ、ｊ）が接続されている。本実施の形態においては、駆動トランジスタ３４（ｐ、ｊ）のソースが高電圧側電源線２４に接続され、駆動トランジスタ３４（ｐ、ｊ）のドレインが電流スイッチ３５（ｐ、ｊ）のドレイン（またはソース）に接続され、電流スイッチ３５（ｐ、ｊ）のソース（またはドレイン）が有機ＥＬ素子３２（ｐ、ｊ）のアノードに接続され、有機ＥＬ素子３２（ｐ、ｊ）のカソードが低電圧側電源線２５に接続されている。そして電流スイッチ３５（ｐ、ｊ）のゲートが発光制御線２３（ｐ）に接続されている。
【００３１】
また、記憶容量３３（ｐ、ｊ）の一方の端子は駆動トランジスタ３４（ｐ、ｊ）のソースに接続され、記憶容量３３（ｐ、ｊ）のもう一方の端子は駆動トランジスタ３４（ｐ、ｊ）のゲートに接続されるとともに、書込スイッチ３９（ｐ、ｊ）を介してデータ線２１（ｊ）に接続されている。さらに書込スイッチ３９（ｐ、ｊ）のゲートは走査線２２（ｐ）に接続されている。
【００３２】
図２においては、説明を簡素化するために、１つの書込スイッチ３９（ｐ、ｊ）のみを用いて記憶容量３３（ｐ、ｊ）を充電する構成について示した。しかし、画素回路１０（ｐ、ｊ）の輝度ばらつきを補正するための駆動トランジスタ３４（ｐ、ｊ）の閾値電圧の補正機能も含めて、複数のスイッチを用いて記憶容量３３（ｐ、ｊ）を充電する構成であってもよい。
【００３３】
画素回路１０（ｐ＋１、ｊ）も画素回路１０（ｐ、ｊ）と同様の構成であり、有機ＥＬ素子３２（ｐ＋１、ｊ）と、記憶容量３３（ｐ＋１、ｊ）と、駆動トランジスタ３４（ｐ＋１、ｊ）と、電流スイッチ３５（ｐ＋１、ｊ）とを有し、駆動トランジスタ３４（ｐ＋１、ｊ）と有機ＥＬ素子３２（ｐ＋１、ｊ）との間には電流スイッチ３５（ｐ＋１、ｊ）が接続されている。ただし有機ＥＬ素子３２（ｐ＋１、ｊ）は、有機ＥＬ素子３２（ｐ、ｊ）と同じ色で発光する電流発光素子である。
【００３４】
このように本実施の形態における画素回路１０（ｉ、ｊ）は、有機ＥＬ素子３２（ｉ、ｊ）と、画像信号に応じた電圧を保持する記憶容量３３（ｉ、ｊ）と、記憶容量３３（ｉ、ｊ）の電圧に応じた電流を有機ＥＬ素子に流す駆動トランジスタ３４（ｉ、ｊ）と、駆動トランジスタと有機ＥＬ素子とを接続または遮断する電流スイッチ３５（ｉ、ｊ）とを有する。
【００３５】
そして画素間スイッチ１５は、互いに隣接する１対の画素回路のうち、一方の画素回路１０（ｐ、ｊ）の有機ＥＬ素子３２（ｐ、ｊ）および電流スイッチ３５（ｐ、ｊ）の節点と、他方の画素回路１０（ｐ＋１、ｊ）の有機ＥＬ素子３２（ｐ＋１、ｊ）および電流スイッチ３５（ｐ＋１、ｊ）の節点とを接続または遮断する。
【００３６】
ここで高電圧側電源線２４に供給されている電圧は、例えば２０（Ｖ）であり、低電圧側電源線２５に供給されている電圧は、例えば０（Ｖ）である。しかしこれらの電圧は画素回路の構成や有機ＥＬ素子の特性により最適に設定することが望ましい。また駆動トランジスタ３４（ｐ、ｊ）、３４（ｐ＋１、ｊ）は電界効果型のＰチャンネル薄膜トランジスタであるとして説明したが、Ｎチャンネルトランジスタを用いて構成してもよい。
【００３７】
このように、本実施の形態における有機ＥＬ表示装置４０は、面積の広い記憶容量３３（ｉ、ｊ）を１画素回路１０（ｉ、ｊ）あたり１個しか形成されていないので、１画素回路１０（ｉ、ｊ）あたりの発光領域の割合を広く設計することができる。
【００３８】
次に、本実施の形態における有機ＥＬ表示装置４０の駆動方法について説明する。画素回路１０（ｉ、ｊ）のそれぞれは、書込み動作および発光動作を行う。また必要に応じて書込み動作の前に初期化動作を行う。
【００３９】
初期化動作は、記憶容量３３（ｉ、ｊ）の電圧を初期化するとともに駆動トランジスタ３４（ｉ、ｊ）の閾値電圧を検出する動作である。ただし本実施の形態においては、説明を簡素化するために、駆動トランジスタ３４（ｉ、ｊ）の閾値電圧を検出し補正するための回路を省略した。そのため、以下では初期化動作の説明を省略する。
【００４０】
書込み動作は、書込スイッチ３９（ｉ、ｊ）を接続して、データ線２０（ｊ）に供給されているデータ信号に応じた電圧を記憶容量３３（ｉ、ｊ）に印加する。その後に書込スイッチ３９（ｉ、ｊ）を遮断する。書込み動作は、このように記憶容量３３（ｉ、ｊ）をデータ信号に応じた電圧に充電する動作である。書込み動作後は、記憶容量３３（ｉ、ｊ）はこの電圧を保持するので、駆動トランジスタ３４（ｉ、ｊ）のゲート・ソース間電圧もデータ信号に応じた電圧に保持される。
【００４１】
１ラインあたりの書込み動作に要する時間は４μｓ〜５μｓ程度である。そのため有機ＥＬ表示装置４０のライン数を、ｎ＝「２０００」とすると、全てのラインで書込みを終了するまでに要する時間は、１フレームあたり、８ｍｓ〜１０ｍｓ程度となる。
【００４２】
発光動作は、有機ＥＬ素子３２（ｉ、ｊ）に電流を流して有機ＥＬ素子３２（ｉ、ｊ）を発光させる動作である。
【００４３】
本実施の形態における有機ＥＬ表示装置４０の駆動方法について、最初に２次元画像を表示する場合について説明する。
【００４４】
図３は、本発明の実施の形態１における有機ＥＬ表示装置４０の動作を説明するための図である。２次元画像を表示する場合には、画素間スイッチ１５を遮断して、画素回路１０（ｐ、ｊ）と画素回路１０（ｐ＋１、ｊ）とを、互いに干渉することなく独立して動作させる。
【００４５】
図４は、本発明の実施の形態１における有機ＥＬ表示装置４０の動作を示すタイミングチャートであり、２次元画像を表示する場合を示している。
【００４６】
本実施の形態においては、１フレーム期間内に、画像信号がライン毎に順次送信される、いわゆるプログレッシブ信号が入力されるとして説明する。フリッカのない２次元画像を表示するために、フレーム周波数は６０Ｈｚに設定されている。２次元画像のプログレッシブ信号を入力すると、データ線駆動回路１１は、データ線２１（ｊ）のそれぞれに、ライン１、ライン２、・・・、ラインｎの順にデータ信号を供給する。
【００４７】
まず１フレーム期間の最初に、データ線駆動回路１１がライン１の画像信号に対応するデータ信号（ライン１のデータ信号）をデータ線２１（ｊ）のそれぞれに供給し、走査線駆動回路１２が走査線２２（１）の走査信号をハイレベルにする。するとライン１の書込スイッチ３９（１、ｊ）が接続となり、データ線２０（ｊ）に供給されているデータ信号に応じた電圧がライン１の記憶容量３３（１、ｊ）に印加される。その後、走査線駆動回路１２は走査線２２（１）の走査信号をローレベルに戻す。こうしてライン１の画素回路１０（１、ｊ）において、記憶容量３３（１、ｊ）を充電する書込み動作を行う。
【００４８】
その後、発光制御回路１３が発光制御線２３（１）の発光制御信号をハイレベルにする。するとライン１の電流スイッチ３５（１、ｊ）が接続となり、ライン１の駆動トランジスタ３４（１、ｊ）からライン１の有機ＥＬ素子３２（１、ｊ）に電流が流れて、ライン１の画像信号に対応する輝度でライン１の有機ＥＬ素子３２（１、ｊ）が発光する。なお、発光制御回路１３は、次のフレームでライン１の画素回路１０（１、ｊ）が書込み動作（または初期化動作）を行う前に、発光制御線２３（１）の発光制御信号をローレベルに戻す。
【００４９】
次に、データ線駆動回路１１がライン２のデータ信号をデータ線２１（ｊ）のそれぞれに供給し、走査線駆動回路１２が走査線２２（２）の走査信号をハイレベルにする。するとライン２の画素回路１０（２、ｊ）の記憶容量３３（２、ｊ）をライン２で表示すべき画像信号に対応する電圧に充電する書込み動作が行われる。
【００５０】
その後、発光制御回路１３が発光制御線２３（２）の発光制御信号をハイレベルにして、ライン２の画像信号に対応する輝度でライン２の有機ＥＬ素子３２（２、ｊ）を発光させる。なお、発光制御回路１３は、次のフレームでライン２の画素回路１０（２、ｊ）が書込み動作（または初期化動作）を行う前に、発光制御線２３（２）の発光制御信号をローレベルに戻す。
【００５１】
以下同様に、ラインｎに至るまで、ライン毎に書込み動作を順次行い、書込み動作を行ったラインから順次発光動作を行う。そして各ラインの発光動作は、次のフレームで書込み動作（または初期化動作）を行う前まで継続する。
【００５２】
こうして、ライン１の画素回路１０（１、ｊ）で１ライン目の画像信号を表示し、ライン２の画素回路１０（２、ｊ）で２ライン目の画像信号を表示し、・・・、ラインｎの画素回路１０（ｎ、ｊ）でｎライン目の画像信号を表示する。
【００５３】
以上のように駆動することで、駆動時間の大部分を画像表示に用いることができ、輝度の高い２次元画像を表示することができる。
【００５４】
なお上記の説明では、画像信号がプログレッシブ信号であると仮定して説明した。そのため、データ線駆動回路１１はデータ線２１（ｊ）のそれぞれに、ライン１、ライン２、ライン３、・・・、ラインｎの順にデータ信号を供給し、画素回路(ｉ、ｊ)は、ライン１、ライン２、ライン３、・・・、ラインｎの順に書込み動作を行った。しかし画像信号が、いわゆるインターレース信号である場合には、データ線駆動回路１１がデータ線２１（ｊ）のそれぞれに、ライン１、ライン３、ライン５、・・・、ライン２、ライン４、ライン６、・・・の順にデータ信号を供給するので、画素回路１０(ｉ、ｊ)も、ライン１、ライン３、ライン５、・・・、ライン２、ライン４、ライン６・・・の順に書込み動作を行えばよい。
【００５５】
このように、２次元画像を表示する場合には、画素間スイッチ１５を遮断して、画素回路１０(ｉ、ｊ)の記憶容量３３(ｉ、ｊ)の電圧を２次元画像の画像信号に基づき順次更新するとともに、更新された記憶容量３３(ｉ、ｊ)の電圧に応じた電流を画素回路１０(ｉ、ｊ)の有機ＥＬ素子３２(ｉ、ｊ)に流して発光させる。
【００５６】
次に、３次元画像を表示する場合について説明する。３次元画像は、右目の視差画像と左目の視差画像とを交互に繰り返して表示するとともに、それぞれの視差画像に同期して開閉するシャッタ眼鏡を用いて立体視することで実現できる。
【００５７】
図５Ａ、図５Ｂは、本発明の実施の形態１における有機ＥＬ表示装置４０の動作を説明するための図である。また図６は、同有機ＥＬ表示装置４０の動作を示すタイミングチャートであり、３次元画像を表示する場合を示している。
【００５８】
３次元画像を表示するために、１フレームを、右目の視差画像の画像信号を送信する右目用フィールドと左目の視差画像の画像信号を送信する左目用フィールドとで構成し、右目用フィールドと左目用フィールドとを交互に繰り返してそれぞれの視差画像の画像信号を送信する。そしてフリッカのない立体画像を表示するために、フレーム周波数を６０Ｈｚに設定している。したがってフィールド周波数は１２０Ｈｚとなり、それぞれの視差画像の画像信号を送信する時間が、２次元画像の画像信号を送信する時間のおよそ半分となる。
【００５９】
このように３次元画像を表示するためには、２次元画像の半分の時間内にそれぞれの視差画像の画像信号の書込み動作を行わなければならない。そのため視差画像のそれぞれの画像信号に対し、データ線駆動回路１１は、奇数ラインのデータ信号または偶数ラインのデータ信号のいずれかをデータ線２１（ｊ）のそれぞれに順次供給している。
【００６０】
本実施の形態においては、データ線駆動回路１１は奇数ラインのデータ信号のみをデータ線２１（ｊ）のそれぞれに順次供給するとして説明する。すなわちデータ線駆動回路１１は、右目用フィールドではライン１、ライン３、ライン５、・・・、ライン（ｎ−１）の順に右目の視差画像の画像信号に対するデータ信号（右目用データ信号）を供給し、左目用フィールドでは、ライン１、ライン３、ライン５、・・・、ライン（ｎ−１）の順に左目の視差画像の画像信号に対するデータ信号（左目用データ信号）を供給する。
【００６１】
３次元画像を表示する場合には、画素間スイッチ１５を接続にして、奇数ラインの有機ＥＬ素子３２（ｐ、ｊ）と偶数ラインの有機ＥＬ素子３２（ｐ＋１、ｊ）とを接続する。
【００６２】
まず、右目用フィールドにおいては、図５Ａに示したように、奇数ラインの電流スイッチ３５（ｐ、ｊ）を遮断し、偶数ラインの電流スイッチ３５（ｐ＋１、ｊ）を接続する。すると、偶数ラインの駆動トランジスタ３４（ｐ＋１、ｊ）から偶数ラインの有機ＥＬ素子３２（ｐ＋１、ｊ）に電流が流れるとともに、画素間スイッチ１５を介して奇数ラインの有機ＥＬ素子３２（ｐ、ｊ）にも電流が流れる。こうして奇数ラインの有機ＥＬ素子３２（ｐ、ｊ）と偶数ラインの有機ＥＬ素子３２（ｐ＋１、ｊ）とが発光する。
【００６３】
ここで偶数ラインの記憶容量３３（ｐ＋１、ｊ）には、直前の左目用フィールドにおいて左目用データ信号に対応した電圧が充電されている。そして駆動トランジスタ３４（ｐ＋１、ｊ）は左目用データ信号に対応した電流を有機ＥＬ素子３２（ｐ、ｊ）と有機ＥＬ素子３２（ｐ＋１、ｊ）とに流すので、右目用フィールドでは、図６に示したように、左目の視差画像が表示されることになる。
【００６４】
また右目用フィールドの最初に、データ線駆動回路１１がライン１に対応する右目用データ信号Ｒ１をデータ線２１（ｊ）のそれぞれに供給し、走査線駆動回路１２が走査線２２（１）の走査信号をハイレベルにする。するとライン１の画素回路１０（１、ｊ）の記憶容量３３（１、ｊ）を右目用データ信号Ｒ１に対応した電圧に充電する書込み動作が行われる。
【００６５】
次に、データ線駆動回路１１がライン３に対応する右目用データ信号Ｒ３をデータ線２１（ｊ）のそれぞれに供給し、走査線駆動回路１２が走査線２２（３）の走査信号をハイレベルする。するとライン３の画素回路１０（３、ｊ）の記憶容量３３（３、ｊ）を右目用データ信号Ｒ３に対応した電圧に充電する書込み動作が行われる。
【００６６】
以下同様にして、奇数ラインｐの画素回路１０（ｐ、ｊ）の記憶容量３３（ｐ、ｊ）を、奇数ラインｐに対応する右目用データ信号Ｒｐに対応した電圧に充電する書込み動作が順次行われる。
【００６７】
このように右目用フィールドにおいては、奇数ラインの画素回路１０（ｐ、ｊ）で奇数ラインの右目用データ信号の書込み動作を行いつつ、奇数ラインの有機ＥＬ素子３２（ｐ、ｊ）および偶数ラインの有機ＥＬ素子３２（ｐ＋１、ｊ）で左目の視差画像を表示する。
【００６８】
そしてこのときの左目の視差画像として、図６に示したように、ライン１の画素回路１０（１、ｊ）とライン２の画素回路１０（２、ｊ）とで１ライン目の左目用データ信号Ｌ１が表示され、ライン３の画素回路１０（３、ｊ）とライン４の画素回路１０（４、ｊ）とで３ライン目の左目用データ信号Ｌ３が表示され、・・・、ライン（ｎ−１）の画素回路１０（ｎ−１、ｊ）とラインｎの画素回路１０（ｎ、ｊ）とで（ｎ−１）ライン目の左目用データ信号Ｌ（ｎ−１）が表示される。
【００６９】
続く、左目用フィールドにおいては、図５Ｂに示したように、偶数ラインの電流スイッチ３５（ｐ＋１、ｊ）を遮断し、奇数ラインの電流スイッチ３５（ｐ、ｊ）を接続する。すると、奇数ラインの駆動トランジスタ３４（ｐ、ｊ）から奇数ラインの有機ＥＬ素子３２（ｐ、ｊ）に電流が流れるとともに、画素間スイッチ１５を介して偶数ラインの有機ＥＬ素子３２（ｐ＋１、ｊ）にも電流が流れる。こうして奇数ラインの有機ＥＬ素子３２（ｐ、ｊ）と偶数ラインの有機ＥＬ素子３２（ｐ＋１、ｊ）とが発光する。
【００７０】
ここで奇数ラインの記憶容量３３（ｐ、ｊ）には、直前の右目用フィールドにおいて右目用データ信号に対応した電圧が充電されているので、左目用フィールドでは右目の視差画像が表示されることになる。
【００７１】
また左目用フィールドの最初に、データ線駆動回路１１がライン１に対応する左目用データ信号Ｌ１をデータ線２１（ｊ）のそれぞれに供給し、走査線駆動回路１２が走査線２２（２）の走査信号をハイレベルにする。するとライン２の画素回路１０（２、ｊ）の記憶容量３３（２、ｊ）をデータ信号Ｌ１に対応した電圧に充電する書込み動作が行われる。
【００７２】
次に、データ線駆動回路１１がライン３に対応する左目用データ信号Ｌ３をデータ線２１（ｊ）のそれぞれに供給し、走査線駆動回路１２が走査線２２（４）の走査信号をハイレベルにする。するとライン４の画素回路１０（４、ｊ）の記憶容量３３（４、ｊ）を左目用データ信号Ｌ３に対応した電圧に充電する書込み動作が行われる。
【００７３】
以下同様にして、偶数ライン（ｐ＋１）の画素回路１０（ｐ＋１、ｊ）の記憶容量３３（ｐ＋１、ｊ）を、奇数ラインｐに対応する左目用データ信号Ｌｐに対応した電圧に充電する書込み動作が順次行われる。
【００７４】
このように左目用フィールドにおいては、偶数ラインの画素回路１０（ｐ＋１、ｊ）で奇数ラインの左目用データ信号の書込み動作を行いつつ、奇数ラインの有機ＥＬ素子３２（ｐ、ｊ）および偶数ラインの有機ＥＬ素子３２（ｐ＋１、ｊ）で右目の視差画像を表示する。
【００７５】
そしてこのときの右目の視差画像として、図６に示したように、ライン１の画素回路１０（１、ｊ）とライン２の画素回路１０（２、ｊ）とで１ライン目の右目用データ信号Ｒ１が表示され、ライン３の画素回路１０（３、ｊ）とライン４の画素回路１０（４、ｊ）とで３ライン目の右目用データ信号Ｒ３が表示され、・・・、ライン（ｎ−１）の画素回路１０（ｎ−１、ｊ）とラインｎの画素回路１０（ｎ、ｊ）とで（ｎ−１）ライン目の右目用データ信号Ｒ（ｎ−１）が表示される。
【００７６】
以下、同様の駆動を繰り返すことで、３次元画像を表示する場合であっても駆動時間の大部分を画像表示に用いることができ、輝度の高い３次元画像を表示することができる。
【００７７】
このように、右目および左目の視差画像を交互に表示して３次元画像を表示する場合には、画素間スイッチ１５を接続して画素回路対を構成し、画素回路対の画素回路それぞれの記憶容量の電圧を視差画像の画像信号に基づき交互に更新するとともに、画素回路対のうち、一方の画素回路１０（ｐ、ｊ）の記憶容量３３（ｐ、ｊ）の電圧を更新する期間は、一方の画素回路１０（ｐ、ｊ）の電流スイッチ３５（ｐ、ｊ）を遮断し、他方の画素回路１０（ｐ＋１、ｊ）の電流スイッチ３５（ｐ＋１、ｊ）を接続して、他方の画素回路１０（ｐ＋１、ｊ）の記憶容量３３（ｐ＋１、ｊ）の電圧に応じた電流を画素回路対を構成する両方の画素回路の有機ＥＬ素子に流して発光させる。
【００７８】
以上のように駆動することで、右目の視差画像および左目の視差画像の垂直解像度は低下するものの、駆動時間の大部分を画像表示に用いることができ、輝度の高い３次元画像を表示することができる。
【００７９】
なお本実施の形態においては、データ線駆動回路１１は、右目用フィールドおよび左目用フィールドにおいて、奇数ラインのデータ信号のみをデータ線２１（ｊ）のそれぞれに順次供給するとして説明した。しかし供給するデータおよびその順序は上記に限定されるものではない。例えば、最初のフレームでは、右目用フィールドおよび左目用フィールドにおいて奇数ラインのデータ信号のみをデータ線２１（ｊ）のそれぞれに順次供給し、次のフレームでは、右目用フィールドおよび左目用フィールドにおいて偶数ラインのデータ信号のみをデータ線２１（ｊ）のそれぞれに順次供給してもよい。
【００８０】
（実施の形態２）
図７は、本発明の実施の形態２における有機ＥＬ表示装置６０の構成を示す模式図である。本実施の形態における有機ＥＬ表示装置６０は、画素回路１０（ｉ、ｊ）と、データ線駆動回路１１と、走査線駆動回路１２と、発光制御回路１３と、第１画素間スイッチ５５と、第２画素間スイッチ５６と、画素間スイッチ制御回路５８と、電源回路（図示せず）とを備えている。
【００８１】
実施の形態１における有機ＥＬ表示装置４０と同じ構成要素については、実施の形態１と同じ符号を付して説明を省略する。実施の形態２における有機ＥＬ表示装置６０が実施の形態１における有機ＥＬ表示装置４０と異なる点は、第１画素間スイッチ５５、第２画素間スイッチ５６、画素間スイッチ制御回路５８である。
【００８２】
第１画素間スイッチ５５は、隣接する１対の画素回路１０（ｐ、ｊ）、１０（ｐ＋１、ｊ）のそれぞれに対して、一方の画素回路１０（ｐ、ｊ）の有機ＥＬ素子と他方の画素回路１０（ｐ＋１、ｊ）の有機ＥＬ素子とを接続または遮断する。ここで「ｐ」は「１」以上「ｎ」以下の奇数である。また第２画素間スイッチ５６は、隣接する１対の画素回路１０（ｑ、ｊ）、１０（ｑ＋１、ｊ）のそれぞれに対して、一方の画素回路１０（ｑ、ｊ）の有機ＥＬ素子と他方の画素回路１０（ｑ＋１、ｊ）の有機ＥＬ素子とを接続または遮断する。ここで「ｑ」は「１」以上「ｎ」以下の偶数である。そして第１画素間スイッチ５５のそれぞれのゲートは互いに接続され、第２画素間スイッチ５６のそれぞれのゲートも互いに接続されている。
【００８３】
このように、実施の形態２においては、データ線２１（ｊ）を共有する複数の画素回路１０（ｉ、ｊ）のそれぞれにおいて、ｐ番目の走査線２２（ｐ）を有する画素回路１０（ｐ、ｊ）の有機ＥＬ素子３２（ｐ、ｊ）および電流スイッチ３５（ｐ、ｊ）の節点と、（ｐ＋１）番目の走査線２２（ｐ＋１）を有する画素回路１０（ｐ＋１、ｊ）の有機ＥＬ素子３２（ｐ＋１、ｊ）および電流スイッチ３５（ｐ＋１、ｊ）の節点とを接続または遮断する第１画素間スイッチ５５と、ｑ番目の走査線２２（ｑ）を有する画素回路１０（ｑ、ｊ）の有機ＥＬ素子３２（ｑ、ｊ）および電流スイッチ３５（ｑ、ｊ）の節点と、（ｑ＋１）番目の走査線２２（ｑ＋１）を有する画素回路１０（ｑ＋１、ｊ）の有機ＥＬ素子３２（ｑ＋１、ｊ）および電流スイッチ３５（ｑ＋１、ｊ）の節点とを接続または遮断する第２画素間スイッチ５６とを備えている。
【００８４】
画素間スイッチ制御回路５８は、画像信号に応じて、第１画素間スイッチ５５の接続または遮断を制御する第１画素間制御信号を第１画素間スイッチ５５のそれぞれのゲートに供給し、第２画素間スイッチ５６の接続または遮断を制御する第２画素間制御信号を第２画素間スイッチ５６のそれぞれのゲートに供給する。
【００８５】
次に、実施の形態２における有機ＥＬ表示装置６０の駆動方法について説明する。２次元画像を表示する場合には、第１画素間スイッチ５５および第２画素間スイッチ５６を遮断して、奇数ラインの画素回路１０（ｐ、ｊ）と偶数ラインの画素回路１０（ｑ、ｊ）とを、互いに干渉することなく独立して動作させる。このときの動作の詳細は実施の形態１と同じであるため説明を省略する。
【００８６】
次に、３次元画像を表示する場合について説明する。
【００８７】
図８は、本発明の実施の形態２における有機ＥＬ表示装置６０の動作を示すタイミングチャートであり、３次元画像を表示する場合を示している。
【００８８】
本実施の形態においては、データ線駆動回路１１は、最初のフレームの右目用フィールドではライン１、ライン３、ライン５、・・・、の順に右目用データ信号をデータ線２１（ｊ）のそれぞれに供給し、続く左目用フィールドでは、ライン１、ライン３、ライン５、・・・、の順に左目用データ信号を供給する。そして次のフレームの右目用フィールドでは、ライン２、ライン４、ライン６、・・・、の順に右目用データ信号を供給し、続く左目用フィールドでは、ライン２、ライン４、ライン６、・・・、の順に左目用データ信号を供給する。以下同様に、データ線駆動回路１１は、上記の順序でデータ信号をデータ線２１（ｊ）のそれぞれに供給するとして説明する。
【００８９】
最初のフレームの右目用フィールドでは、第１画素間スイッチ５５を接続し、第２画素間スイッチ５６を遮断して、奇数ラインの有機ＥＬ素子３２（ｐ、ｊ）と偶数ラインの有機ＥＬ素子３２（ｐ＋１、ｊ）とを接続する。そして実施の形態１における最初のフレームの右目用フィールドと同様に、奇数ラインの画素回路１０（ｐ、ｊ）の記憶容量３３（ｐ、ｊ）を、右目の視差画像の奇数ラインに対応する右目用データ信号Ｒｐに対応した電圧に充電する書込み動作を行いつつ、奇数ラインの有機ＥＬ素子３２（ｐ、ｊ）および偶数ラインの有機ＥＬ素子３２（ｐ＋１、ｊ）で偶数ラインの左目の視差画像を表示する。
【００９０】
そしてこのときの左目の視差画像として、図８に示したように、ライン１の画素回路１０（１、ｊ）とライン２の画素回路１０（２、ｊ）とで２ライン目の左目用データ信号Ｌ２が表示され、ライン３の画素回路１０（３、ｊ）とライン４の画素回路１０（４、ｊ）とで４ライン目の左目用データ信号Ｌ４が表示され、・・・、ライン（ｎ−１）の画素回路１０（ｎ−１、ｊ）とラインｎの画素回路１０（ｎ、ｊ）とでｎライン目の左目用データ信号Ｌｎが表示される。
【００９１】
同フレームの左目用フィールドでは、第１画素間スイッチ５５を遮断し、第２画素間スイッチ５６を接続して、偶数ラインの有機ＥＬ素子３２（ｑ、ｊ）と奇数ラインの有機ＥＬ素子３２（ｑ＋１、ｊ）とを接続する。そして偶数ラインの画素回路１０（ｑ、ｊ）の記憶容量３３（ｑ、ｊ）を、左目の視差画像の奇数ラインに対応する左目用データ信号Ｌ（ｑ＋１）に対応した電圧に充電する書込み動作を行いつつ、偶数ラインの有機ＥＬ素子３２（ｑ、ｊ）および奇数ラインの有機ＥＬ素子３２（ｑ＋１、ｊ）で奇数ラインの右目の視差画像を表示する。
【００９２】
そしてこのときの右目の視差画像として、ライン１の画素回路１０（１、ｊ）で１ライン目の右目用データ信号Ｒ１が表示され、ライン２の画素回路１０（２、ｊ）とライン３の画素回路１０（３、ｊ）とで３ライン目の右目用データ信号Ｒ３が表示され、・・・、ライン（ｎ−２）の画素回路１０（ｎ−２、ｊ）とライン（ｎ−１）の画素回路１０（ｎ−１、ｊ）とで（ｎ−１）ライン目の右目用データ信号Ｒ（ｎ−１）が表示される。
【００９３】
次のフレームの右目用フィールドでは、引き続き第１画素間スイッチ５５を遮断し、第２画素間スイッチ５６を接続して、偶数ラインの有機ＥＬ素子３２（ｑ、ｊ）と奇数ラインの有機ＥＬ素子３２（ｑ＋１、ｊ）とを接続する。そして奇数ラインの画素回路１０（ｑ−１、ｊ）の記憶容量３３（ｑ−１、ｊ）を、右目の視差画像の偶数ラインに対応する右目用データ信号Ｒｑに対応した電圧に充電する書込み動作を行いつつ、偶数ラインの有機ＥＬ素子３２（ｑ、ｊ）および奇数ラインの有機ＥＬ素子３２（ｑ＋１、ｊ）で奇数ラインの左目の視差画像を表示する。
【００９４】
そしてこのときの左目の視差画像として、図８に示したように、ライン２の画素回路１０（２、ｊ）とライン３の画素回路１０（３、ｊ）とで３ライン目の左目用データ信号Ｌ３が表示され、ライン４の画素回路１０（４、ｊ）とライン５の画素回路１０（５、ｊ）とで５ライン目の左目用データ信号Ｌ５が表示され、・・・、ライン（ｎ−２）の画素回路１０（ｎ−２、ｊ）とライン（ｎ−１）の画素回路１０（ｎ−１、ｊ）とで（ｎ−１）ライン目の左目用データ信号Ｌ（ｎ−１）が表示される。
【００９５】
続く同フレームの左目用フィールドでは、第１画素間スイッチ５５を接続し、第２画素間スイッチ５６を遮断して、奇数ラインの有機ＥＬ素子３２（ｐ、ｊ）と偶数ラインの有機ＥＬ素子３２（ｐ＋１、ｊ）とを接続する。そして偶数ラインの画素回路１０（ｐ＋１、ｊ）の記憶容量３３（ｐ＋１、ｊ）を、左目の視差画像の偶数ラインに対応する左目用データ信号Ｌ（ｐ＋１）に対応した電圧に充電する書込み動作を行いつつ、奇数ラインの有機ＥＬ素子３２（ｐ、ｊ）および偶数ラインの有機ＥＬ素子３２（ｐ＋１、ｊ）で偶数ラインの右目の視差画像を表示する。
【００９６】
そしてこのときの右目の視差画像として、図８に示したように、ライン１の画素回路１０（１、ｊ）とライン２の画素回路１０（２、ｊ）とで２ライン目の右目用データ信号Ｒ２が表示され、ライン３の画素回路１０（３、ｊ）とライン４の画素回路１０（４、ｊ）とで４ライン目の右目用データ信号Ｒ４が表示され、・・・、ライン（ｎ−１）の画素回路１０（ｎ−１、ｊ）とラインｎの画素回路１０（ｎ、ｊ）とでｎライン目の右目用データ信号Ｒｎが表示される。
【００９７】
このように、右目および左目の視差画像を交互に表示して３次元画像を表示する場合には、第１画素間スイッチ５５と第２画素間スイッチ５６とのいずれか一方を接続し他方を遮断して画素回路対を構成し、画素回路対の画素回路それぞれの記憶容量の電圧を視差画像の画像信号に基づき交互に更新するとともに、画素回路対のうち、一方の画素回路の記憶容量の電圧を更新する期間は、一方の画素回路の電流スイッチを遮断し、他方の画素回路の電流スイッチを接続して、他方の画素回路の記憶容量の電圧に応じた電流を画素回路対を構成する両方の画素回路の有機ＥＬ素子に流して発光させる。そして、第１画素間スイッチおよび第２画素間スイッチの接続または遮断を、フレーム単位で交互に切換える。
【００９８】
以上のように駆動することで、駆動時間の大部分を画像表示に用いることができ、輝度の高い３次元画像を表示することができる。また右目の視差画像および左目の視差画像のそれぞれはインターレース表示を行うので、垂直解像度の高い３次元画像を表示することができる。
【００９９】
なお実施の形態１、２における有機ＥＬ表示装置の画素回路は行列状に配列され、画素間スイッチはデータ線を共有して列方向に隣接する１対の画素回路のそれぞれに対して接続された構成であるとして説明した。しかしながら本発明はこれに限定されるものではない。有機ＥＬ表示装置の画素回路は、例えばデルタ状に配列されていてもよい。また画素間スイッチは、同じ色に発光する有機ＥＬ素子を有する１対の画素回路のそれぞれに対して接続された構成であればよい。
【０１００】
また、実施の形態において用いた具体的な各数値は、単に一例を挙げたに過ぎず、画素回路の特性や有機ＥＬ表示装置の仕様等に合わせて、適宜最適な値に設定することが望ましい。
【産業上の利用可能性】
【０１０１】
本発明は、１画素回路あたりの発光領域の割合を狭めることなく、かつ駆動時間の大部分を画像表示に用いて、輝度の高い２次元画像および３次元画像を表示することができ、有機ＥＬ表示装置およびその駆動方法として有用である。
【符号の説明】
【０１０２】
１１    データ線駆動回路
１２    走査線駆動回路
１３    発光制御回路
１５    画素間スイッチ
１８，５８    画素間スイッチ制御回路
２４    高電圧側電源線
２５    低電圧側電源線
３２    有機ＥＬ素子
３３    記憶容量
３４    駆動トランジスタ
３５    電流スイッチ
４０，６０    有機ＥＬ表示装置
５５    第１画素間スイッチ
５６    第２画素間スイッチ
Ｌ１，Ｌ２，Ｌ３，Ｌ４    左目用データ信号
Ｒ１，Ｒ２，Ｒ３，Ｒ４    右目用データ信号
【図１】
0005990743.tif 000002
【図２】
0005990743.tif 000003
【図３】
0005990743.tif 000004
【図４】
0005990743.tif 000005
【図５Ａ】
0005990743.tif 000006
【図５Ｂ】
0005990743.tif 000007
【図６】
0005990743.tif 000008
【図７】
0005990743.tif 000009
【図８】
0005990743.tif 000010